(57)【要約】【課題】この発明は、喫煙時には多量の空気を吸引でき、非喫煙時には比較的少量の空気を吸引できるようにした空気清浄機において、フラップを閉じたままでも比較的少量の空気の吸引ができ、空気清浄機が機能するようにすることを課題とするものである。【解決手段】この発明の空気清浄機は、筐体の吸引口に開閉するフラップを設け、このフラップにはフラップ閉鎖時においても吸引が可能となる吸気部を設けて空気清浄機を構成するものである。【選択図】  図３
2005024121.tif 000002
【特許請求の範囲】
【請求項１】
空気清浄機の筐体の吸引側に開閉するフラップを設け、前記筐体又はフラップにはフラップ閉鎖時においても吸引が可能となる吸気部を設けたことを特徴とする、空気清浄機
【請求項２】
空気清浄機の吸引ファンはタイマーにより制御され、前記フラップの閉鎖後所定時間吸引ファンが駆動するようにした、請求項１記載の空気清浄機
【発明の詳細な説明】
【０００１】
【産業上の利用分野】
この発明は、たばこの煙の除去に適した空気清浄機に関するものである。
【０００２】
【従来の技術】
空気清浄機において、喫煙時とそれ以外の時とでは浄化すべき空気量が顕著に異なる。喫煙時には、喫煙により発生する多量の煙を即時に効率よく空気清浄機で吸引して処理しなければならない。
しかしながら、たばこの煙のこのような特性にかなった空気清浄機は提案されていない。
【０００３】
たばこの煙には、喫煙者の口から排出される紫煙と、たばこ自体から発生する副流煙の二種類がある。前者は喫煙者の意思により排出方向を調整することができるが、後者は空気の流れにより排出方向が決定されるの、排出方向の制御は困難である。でそして、何れの煙も性質として、上に上昇し、急速に拡散する。
すなわち、喫煙時に発生するたばこの煙は、発生もとから即時に効率よく吸引して浄化処理しなければ、室内に広く拡散してしまい、完全に浄化処理することが極めて困難となる。そして、煙の拡散によりたばこの臭いが拡散し、室内や衣服に染み付くことになる。
したがって、空気清浄機は、喫煙時において煙の発生もとから直接多量の煙Ｗ０吸引する機能が要求されるのみならず、喫煙終了後も拡散した煙を吸飲するために、広範囲の空気を吸引する機能が要求される。
【０００４】
従来の空気清浄機において、このような要求に応える構成としては、吸引口に開閉可能なフラップを設け、フラップの開閉角度を変更することにより吸引量を調整するようにしたものが提案されている（特開２０００−１４６２３７号）。
しかしながら、上記発明はフラップを閉じた状態では吸引することができない。空気清浄機の運転中は常時フラップを開いておく必要がある。すなわち、空気清浄機のスイッチを入れるのみでは空気清浄機を機能させることができず、スイッチ操作に加えてフラップを開く操作が要求される。また運転中は常時フラップを開いておかなければならず、美感上も好ましくない。
【０００５】
【発明が解決しようとする課題】
この発明は、喫煙時には多量の空気を吸引でき、非喫煙時には比較的少量の空気を吸引できるようにした空気清浄機において、フラップを閉じたままでも比較的少量の空気の吸引ができ、空気清浄機が機能するようにすることを課題とするものである。
【０００６】
【課題を解決するための手段】
この発明は、空気清浄機の筐体の吸引口に開閉するフラップを設け、前記筐体又はフラップにはフラップ閉鎖時においても吸引が可能となる吸気部を設けて空気清浄機を構成するものである。
前記吸気部の位置、態様に制約はない。以下の実施形態に限られることなく、例えばフラップの全面に多数の透孔を設けたり、筐体の側面にスリットを設ける態様とすることもできる。
【０００７】
前記フラップは、横軸に取り付けて縦方向に回動するようにすることが、「煙は上昇する」という煙の性質との関係で好ましいが、縦軸に取り付けて横方向に回動するようにしてもよい。そして、フラップの数は１枚でも複数枚でもよい。吸入口の一部にのみ開閉可能なフラップを設け、その他の吸入口にはフラップを設けない構成とすることもできる。その場合は、煙は上昇するので、上部に開閉するフラップを設けることが好ましい。
【０００８】
前記フラップは、その両側に側壁を有する形状とすることが好ましい。側壁を設けることにより、フラップに向かった煙が側方へ逃げることがなく、効率よく煙を捕捉することができる。
【０００９】
更に、フラップの回動の大きさと吸引用のファンの回転数とが連動するようにしておくことが好ましい。すなわち、フラップが閉じているときには比較的少量の空気が吸引されればよいのでファンの回転数は低く、フラップが大きく回動したときには多量の空気が吸引されるようにファンの回転数が高くなるようにする。このフラップの回動量とファンの回転数の連動は、フラップ回動量を検知するリミットスイッチにより行うことができる。
【００１０】
また、空気清浄機に空気中の二酸化炭素濃度などＣＯｘを検出するセンサを取り付け、このセンサにファンのＯＮ−ＯＦＦスイッチを連動させることが好ましい。
そして、前記フラップにはこれを開閉するモーターを取り付け、前記センサの二酸化炭素濃度などの検出値の信号に基づきフラップの開度が自動的に調整されるようにすることが好ましい。
【００１１】
前記センサにファンのＯＮ−ＯＦＦスイッチを連動させる場合、ＯＮ信号となるセンサの二酸化炭素濃度などの検出値は高く設定し、ＯＦＦ信号となるセンサの二酸化炭素濃度などの検出値は低く設定すると、喫煙後における室内に拡散した煙の吸収が可能となる。またＯＮ信号となるセンサの検出値をＯＦＦ信号となるセンサの検出値を同じにしても、スイッチ回路にタイマーを介在させてＯＦＦ信号となる検出値以下に達した後も室内に拡散した煙が除去されるまでの時間（例えば３０分）ファンの回転が継続するようにすると、室内に拡散した煙を吸収することができる。
前記タイマーによるファンの回転時間は、空気浄化機における浄化時間と室内の空気量とから算定する。
【００１２】
前記のように構成された空気清浄機は、回転する台座の上に載置することにより、喫煙者の方向に吸引部を向けることができ、効率よく煙を吸引することができる。
【００１３】
【作用】
この発明において、フラップに透孔を設けてあるので、スイッチを入れるとフラップを閉じたままで吸引が可能であり、非喫煙時における空気清浄を担うことができる。そして、フラップを回動させることにより、多量の空気を吸引することができ、喫煙時に発生する煙を可及的速やかに吸引し、煙の室内への拡散が防止される。
そして、フラップが閉じた後もタイマー制御により吸引は継続されるので、喫煙により拡散した煙は、フラップが閉じた後に透孔を介した空気の流れによって筐体内に吸引される。したがって、室内に拡散した煙も完全に除去されることとなる。
【００１４】
【発明の実施の形態】
空気清浄機の筐体１内に、吸引ファン２，フィルタ３が配設してあり、吸引口４にはメッシュが取り付けてある。前記吸引口４は前記筐体１の前面側に上中下３段に分けてそれぞれ独立した、合計３枚のフラップ５が横軸６を介してに回動可能に取り付けてある。
各フラップ５は前壁５ａ両側に側壁５ｂを設けた側面視台形状で、上段のフラップの下部は下段のフラップの上部から突出し、上段フラップの前壁５ａの下縁と下段のフラップ５の前壁の上縁との間に吸気部として空気流入用のスリット７が形成され、フラップ５を閉じた状態でスリット７から室内の空気が筐体１内に流入し得るようになっている。
【００１５】
前記横軸６はフラップ開閉用のモーター８に連動させてあり、モーター８は筐体１に取り付けたセンサ９の信号により回転し、フラップが開閉されるようにしてある。
前記センサ９の信号は、ファン２のスイッチにも連動させてある。
すなわち、センサ９で所定濃度以上の二酸化炭素濃度が検出されたとき、その信号が前記フラップ開閉用のモーター８と吸引ファン２のスイッチに送られ、フラップ５が開くと共に、吸引ファン２が回転する。
【００１６】
前記センサ９は検出した二酸化炭素濃度に対応して複数レベルの信号を前記フラップ開閉用のモーター８及び吸引ファン２のスイッチに送るようにしてある。
二酸化炭素濃度が所定量以下のときには０レベル信号であって、モーターもファンも回転しない。所定量を超えたとき、その中での低レベル信号、中レベル信号、高レベル信号を発し、その信号に対応してフラップ開閉用のモーター７が回転してフラップの開度変化し（高レベル信号でフラップは全開する）、吸引ファン２の回転数が変化する（高レベル信号で高速回転となる）ようにしてある。
【００１７】
前記吸引ファン２の駆動回路にはタイマ−（図示しない）が介在させてある。このタイマ−は、喫煙の終了により二酸化炭素濃度が低下し前記センサ９からの信号が０レベルになったときにカウントが開始され、０レベルになった後所定時間（室内に拡散した煙が完全に除去されるまでの時間。この設定時間は空気清浄機の時間あたりの処理能力と室内の空気量とから割り出して設定する。室内の広さを入力できるようにして自動演算できるようにすることもできる。）吸引ファン２が回転を継続させるためのものである。
センサ９からの信号が０レベルになると、フラップ５は閉じるが吸引ファン２は回転を継続する。このとき、空気はフラップ５の下部スリット７から吸引される。
【００１８】
図中符号１０は回転する台座であり、この台座１０に空気清浄機を回転自在に載置してある。
【００１９】
上記実施形態の空気清浄機は、喫煙により二酸化炭素濃度が高くなるとセンサ９で検出され、吸引ファン２が回転すると共に、フラップ５が開く。そして、二酸化炭素濃度が高くなるとそれに対応して吸引ファン２の回転速度、すなわち吸引力が高くなり、併せてフラップ５の開き度合いが大きくなる。したがって、喫煙時には多量の煙を吸引することができる。
このとき、空気清浄機が回転する台座１０に載置されているので、吸引部を喫煙者の方向に向けることにより、効率よく吸引することができる。
また、フラップ５は前壁５ａ、側壁５ｂを有しているので、前壁５ａに当たった煙はフラップ５内に囲い込まれ、煙がフラップの外に逃げることを可及的に防止できるので、フラップにより煙は捕捉され、極めて高い吸引効率を得ることができる。
【００２０】
喫煙が終了して二酸化炭素濃度が低下すると、センサ９が出力する信号が次第に低レベルとなり、所定濃度以下になると０レベルとなる。
センサの信号レベルの低下に対応して、吸引ファン２の回転数は低下し、フラップ５の開度も低下する。そしてセンサの信号が０レベルとなると、フラップ５は閉鎖するが、タイマーが始動し、所定時間吸引ファン２は比較的低速で回転を継続する。
このとき、室内に大きな空気の流れが発生し、吸引された空気はフラップ５の下部スリット７から吸引される。
この喫煙終了後における吸引により、室内の煙は完全に吸引され、清浄されることとなる。
【００２１】
上記実施形態においては、センサ９によってフラップの開閉、吸引ファンの制御を行っているが、フラップの開閉を人力で行い、このフラップの開閉操作により吸引ファンを制御するようにすることもできる。
すなわち、フラップ５の回動によりリミットスイッチが作動し、吸引ファンの回転数が増減するようにする。このような構成により、フラップの回動に伴う吸引部の面積の増大と吸引ファンの回転数の増大により、吸引空気量は増大する。
【００２２】
【発明の効果】
この発明によれば、空気清浄機の吸気量を調整するフラップに、フラップを閉じた状態でも吸気可能となる吸気部を設けたので、非喫煙時はフラップを閉じたままで使用することができる。したがって、スイッチを操作するのみで空気清浄機能を得ることができ、かつデザイン的に最も美しいフラップを閉じた状態で、通常時は使用することができる。
そして、フラップは開閉可能であるから、吸気量の増大が必要な喫煙時には、フラップを開くことにより吸気量は増大し、煙草の煙が拡散することなく空気清浄機に吸引される。
更に、多量のヤニが付着するおそれのある喫煙時にはフラップが開いているので、フラップの前面にヤニが付着することがなく、フラップを閉じた状態においてはヤニが目立たない。
また、請求項２の発明によれば、タイマー機能により喫煙後も吸引が継続するので、室内に拡散した煙を完全に除去することができる。
【図面の簡単な説明】
【図１】この発明実施形態の斜視図
【図２】同じくフラップの斜視図
【図３】この発明実施形態の断面図
【図４】喫煙時の吸引状態を示す側面図
【符号の説明】
１    筐体１
２    吸引ファン
３    フィルタ
４    吸引口
５    フラップ
６    横軸
７    スリット
８    フラップ開閉用モーター
９    センサ
１０  台座
【図１】
2005024121.tif 000003
【図２】
2005024121.tif 000004
【図３】
2005024121.tif 000005
【図４】
2005024121.tif 000006